(57)【特許請求の範囲】
【請求項１】
トランスの１次側に接続されたスイッチング素子によって、交流電源からの交流電圧を整流平滑して得られる電圧をスイッチング制御回路の制御の下にスイッチングして、前記トランスの２次側に誘起された電圧を整流平滑して直流出力電圧として出力し、
前記スイッチング制御回路に接続されたフォトカプラと、前記フォトカプラのフォトダイオードに流す発光用電流の電流源となる電池と、オン／オフされることでそれぞれ前記電池と前記フォトダイオードとの電気的な接続／非接続を切り換えるスイッチとを備え、前記スイッチをオンすることで前記フォトダイオードを発光させ、前記フォトカプラのフォトトランジスタがオンすることで、前記スイッチング素子によるスイッチング動作を実行させることが可能なスイッチング電源において、
前記交流入力電圧を検出する交流入力検出回路をさらに備え、
前記交流入力検出回路は、一方端が前記フォトトランジスタのエミッタに接続された第１の抵抗と、前記第１の抵抗の他方端に一方端が接続されるとともに他方端が前記交流電源に接続された第２の抵抗と、前記第１の抵抗と並列に接続された第１の平滑コンデンサと、前記第１の抵抗と前記第２の抵抗との接続点にカソードが接続された第１のダイオードと、前記第１のダイオードのアノードにベースが接続され、コレクタが前記フォトトランジスタのエミッタに接続され、エミッタが前記フォトトランジスタのコレクタに接続されたＰＮＰトランジスタとを有し、
前記スイッチをオンにした状態で、前記交流電源がオフされることで、前記ＰＮＰトランジスタをオンさせ、前記スイッチング素子によるスイッチング動作を実行させることを特徴とするスイッチング電源。
【発明の詳細な説明】
【０００１】
【発明の属する技術分野】
本発明は、スイッチング電源に関するものであり、２次側フォトカプラ駆動回路の電池が消耗し、スイッチング電源の直流出力電圧をオンすることができなくなった場合、電池を交換するまでの間、動作させる機能を備えたスイッチング電源に関するものである。
【０００２】
【従来の技術】
図２は、従来のスイッチング電源回路であり２次側スイッチ１７により直流出力電圧をオン／オフしているが、フォトカプラ駆動用電池１９が消耗し、フォトカプラのダイオードに電流を流すために必要な電圧が発生しなくなった場合、電池を新品に交換するまでの間、直流出力電圧Ｖ０を出力することができず、動作不能となるため、不都合であった。
【０００３】
【発明が解決しようとする課題】
上記のような問題があったため、フォトカプラ駆動用電源回路の電池が消耗し、フォトカプラのダイオードを通電するための電圧が発生しなくなった場合、電池を新品に交換するまでの間、直流出力電圧Ｖ０を出力できる機能が要求されていた。
【０００４】
【課題を解決するための手段】
本発明は、上記の課題を解決するもので、トランス１１の１次側に接続されたスイッチング素子５によって、交流電源１からの交流電圧を整流平滑して得られる電圧をスイッチング制御回路６の制御の下にスイッチングして、トランス１１の２次側に誘起された電圧を整流平滑して直流出力電圧として出力し、スイッチング制御回路６に接続されたフォトカプラ１５と、フォトカプラ１５のフォトダイオードに流す発光用電流の電流源となる電池１９と、オン／オフされることでそれぞれ電池１９とフォトダイオードとの電気的な接続／非接続を切り換えるスイッチ１７とを備え、スイッチ１７をオンすることでフォトダイオードを発光させ、フォトカプラ１５のフォトトランジスタがオンすることで、スイッチング素子５によるスイッチング動作を実行させることが可能なスイッチング電源において、交流入力電圧を検出する交流入力検出回路１８をさらに備え、交流入力検出回路１８は、一方端がフォトトランジスタのエミッタに接続された第１の抵抗２８と、第１の抵抗２８の他方端に一方端が接続されるとともに他方端が交流電源１に接続された第２の抵抗２９と、第１の抵抗２８と並列に接続された第１の平滑コンデンサ２７と、第１の抵抗２８と第２の抵抗２９との接続点にカソードが接続された第１のダイオード２６と、第１のダイオード２６のアノードにベースが接続され、コレクタがフォトトランジスタのエミッタに接続され、エミッタがフォトトランジスタのコレクタに接続されたＰＮＰトランジスタ２５とを有し、スイッチ１７をオンにした状態で、交流電源１がオフされることで、ＰＮＰトランジスタ２５をオンさせ、スイッチング素子５によるスイッチング動作を実行させることを特徴とするスイッチング電源。
【０００５】
ここで、上記のフォトカプラ駆動回路３０は、２次側の第２のダイオード１２と２次側スイッチ１７とに接続した、第３のダイオード２４と第３の抵抗２３との直列回路と、フォトカプラ１５のダイオードとフォトカプラ駆動回路３０のスイッチ１７とに接続した、電池１９と第４の抵抗２０と第４のダイオード２１との直列回路と、第２の平滑コンデンサ２２と、第５の抵抗１６とで構成されている。
【０００６】
【発明の実施の形態】
実施例の図１のように、スイッチング制御回路６とフォトカプラ１５とに接続したＰＮＰトランジスタ２５のコレクタと交流電源１との間に、第１の抵抗２８と第１の平滑コンデンサ２７との並列回路と第２の抵抗２９とを接続し、上記並列回路とＰＮＰトランジスタ２５のベースとの間に第１のダイオード２６を逆方向接続し、ＰＮＰトランジスタ２５のコレクタを上記フォトカプラ１５のトランジスタのエミッタに、ＰＮＰトランジスタ２５のエミッタをフォトカプラ１５のトランジスタのコレクタとスイッチング制御回路６に接続して、交流入力検出回路１８を構成する。
交流電源をオフし、再入力することにより第２の抵抗２９と第１の平滑コンデンサ２７の時定数で決まる一定時間、ＰＮＰトランジスタ２５がオンし、その後オフする。
また、１次側のスイッチング制御回路６に接続したフォトカプラ１５は、フォトトランジスタがオンすると直流出力電圧Ｖ０を出力し、オフすると出力停止する機能を有している。
【０００７】
【実施例】
図１は、本発明の実施例によるスイッチング電源の回路図であり、図２は、従来例によるスイッチング電源の回路図である。
また、図３は図１の回路において、電池１９が正常起電力を供給している時のフォトカプラ駆動回路の電流の流れを示す図であり、図４は図１の回路において、電池１９が消耗して正常起電力を供給できなくなり、交流入力検出回路を動作させた時の電流の流れを示す図である。
２次側スイッチ１７がオン（閉）すると、フォトカプラ駆動回路３０には図３に示すような電流が流れ、第２の平滑コンデンサ２２と、該コンデンサ２２の両端に並列接続された電池１９と第４の抵抗２０と第４のダイオード２１とからなる直列回路より第５の抵抗１６を通してフォトダイオードに電流が流れ、フォトトランジスタがオンするのでスイッチング制御回路６が動作し直流出力電圧Ｖ０を出力する。その直流出力電圧Ｖ０により第３のダイオード２４、第３の抵抗２３を通してスイッチ１７、第５の抵抗１６を経由し、フォトカプラ１５のダイオードに電流が供給される。
【０００８】
このとき、フォトカプラ駆動回路３０の電池１９が消耗していてフォトカプラ１５のダイオードに電流を流すために必要な電圧が発生しなくなった場合でも、スイッチ１７をオン（閉）している状態で、交流電源１を一旦オフし再度入力すれば、交流入力検出回路１８には図４に示すような電流が流れ、第２の抵抗２９と第１の平滑コンデンサ２７の時定数で決まる一定時間、スイッチング制御回路６からＰＮＰトランジスタ２５を通して電流が流れるので、直流出力電圧Ｖ０が出力できる。そして、フォトカプラ駆動回路３０のスイッチ１７がオン（閉）状態なので、第３のダイオード２４、第３の抵抗２３、スイッチ１７、第５の抵抗１６を経由してフォトカプラ１５のダイオードに電流が供給され、フォトカプラ１５のトランジスタがオンとなり、スイッチング制御回路６からフォトカプラ１５のトランジスタを通して電流が流れるので、直流出力電圧Ｖ０を出力することができる。
なお、交流電源１を一旦オフし、再度入力するのは電源スイッチのオフ／オンでもよいし、電源プラグの抜き／差しでもよく、交流電源１と交流入力検出回路１８との間に開閉器を設けて制御してもよい。
【０００９】
図１の実施例では、電池１９が消耗してフォトカプラ１５のダイオードを通電するための電圧が発生しなくなった場合でも、上記回路動作を行うことにより、直流出力電圧Ｖ０が出力され続けるが、図２の従来例では交流入力検出回路１８を備えていないため、フォトカプラ１５のダイオードに電流が供給できず、電池１９を新しい電池に交換するまでの間、直流出力電圧Ｖ０を出力できない。
【００１０】
【発明の効果】
上記のように交流入力検出回路１８を設けて動作させることで、フォトカプラ駆動用電池１９が消耗し、フォトカプラ１５のダイオードを通電するための電圧が発生しなくなった場合でも、電池を交換するまでの間、直流出力電圧Ｖ０を出力させることができる。
【図面の簡単な説明】
【図１】本発明の実施例によるスイッチング電源の回路図である。
【図２】従来例によるスイッチング電源の回路図である。
【図３】図１の回路におけるフォトカプラ駆動回路の電流の流れを示す図である。
【図４】図１の回路における交流入力検出回路の電流の流れを示す図である。
【符号の説明】
１  交流電源
２  全波整流ダイオード
３  平滑コンデンサ（有極性）
４  １次巻線
５  スイッチング素子（ＮＰＮトランジスタ）
６  スイッチング制御回路
７  平滑コンデンサ（有極性）
８  ダイオード
９  補助巻線
１０  ２次巻線
１１  コンバータトランス
１２  第２のダイオード
１３  平滑コンデンサ（有極性）
１４  負荷抵抗
１５  フォトカプラ
１６  第５の抵抗
１７  スイッチ
１８  交流入力検出回路
１９  電池
２０  第４の抵抗
２１  第４のダイオード
２２  第２の平滑コンデンサ（有極性）
２３  第３の抵抗
２４  第３のダイオード
２５  ＰＮＰトランジスタ
２６  第１のダイオード
２７  第１の平滑コンデンサ（有極性）
２８  第１の抵抗
２９  第２の抵抗
３０  フォトカプラ駆動回路
【図１】
0004520018.tif 000002
【図２】
0004520018.tif 000003
【図３】
0004520018.tif 000004
【図４】
0004520018.tif 000005